(57)【要約】      （修正有）【課題】複数種のろ過材を粗大なものから細小なものへと大きさを段階的に変えて平面的に連続して配列することで長い経路で微生物に反応させることができ浄水化が効果的に得られるようにした水溜域内の浄水化装置を提供する。【解決手段】池１や濠、湖沼などの水溜域の近接地に粗大なものから細小なものへと数段階に分かれた状態で微生物繁殖用のろ過材を配列して水溜域内のポンプ２からの水をこれらろ過材を通じて流通させ再び水溜域内に還流させてこれらの循環運動を繰り返すことで水溜域内の水を微生物の反応のもとで浄化させるようにした水溜域内の浄水化装置５であって、前記ろ過材は粗大なものから細小なものへと複数段階のもので構成されるとともに、これらろ過材は、水の流される水溜域内へ向けて粗大なろ過材から細小なろ過材へと順次小さいろ過材へと段階的に変化するように平面的に列をなして連続配置されたろ過槽１１内に収容してなることを特徴とする。【選択図】図１
0003191344.tif 000002
【実用新案登録請求の範囲】
【請求項１】
池や濠、湖沼などの水溜域の近接地に粗大なものから細小なものへと数段階に分かれた状態で微生物繁殖用のろ過材を配列して水溜域内のポンプからの水をこれらろ過材を通じて流通させ再び水溜域内に還流させてこれらの循環運動を繰り返すことで水溜域内の水を微生物の反応のもとで浄化させるようにした水溜域内の浄水化装置であって、前記ろ過材は粗大なものから細小なものへと複数段階のもので構成されるとともに、これらろ過材は、水の流される水溜域内へ向けて粗大なろ過材から細小なろ過材へと順次小さいろ過材へと段階的に変化するように平面的に列をなして連続配置されたろ過槽内に収容してなることを特徴とする水溜域内の浄水化装置。
【請求項２】
請求項１に記載のものにおいて、各ろ過槽はその上流側から下流側へ向けて蛇行流を形成すべく蛇行流形成用区画壁を有する水溜域内の浄水化装置。
【考案の詳細な説明】
【技術分野】
【０００１】  本考案は、水溜域内の浄水化装置に関する。
【背景技術】
【０００２】  池や濠、湖沼などの水溜域内の浄水化装置には、各種のものがある。例えば、環境保全型ろ過池についての発明を開示した特許公報１がその一つである。
【先行技術文献】
【特許文献】
【０００３】
【特許文献１】  特開２０１０−２７４２０１
【考案の概要】
【考案が解決しようとする課題】
【０００４】  この特許文献１に開示された技術は、雨水流入口１８から流入する雨水をろ過処理して調整池１６に流下するろ過池１０であって、ろ過材を充填しているろ過材層１２と、ろ過材層１２をせき止める堰堤１４とからなり、ろ過材層１２を、下層から順に、白炭層２０と、セラミック層２２と、粒度調整砕石層２４とを含んで構成し、堰堤１４内部を貫通する水抜きパイプ２８を設けたものであり、維持管理が容易で、環境負荷を低減させることができる環境保全型ろ過池を提供することを目的とするものであるが、３種の層でなるろ過材層１２を、上下に積層した形にしたものであるので、それらろ過槽１２に繁殖する微生物に反応させて浄水化をさせようとしても通過時間が上から下へと短いため浄水化が効果的に得られず調整池まで持ち込まれるという不利な点がある。【０００５】  本考案は、こうした問題を解決しようとするものであり、複数種のろ過材を粗大なものから細小なものへと大きさを段階的に変えて平面的に連続して配列することにより長い経路で微生物に反応させることができて浄水化が効果的に得られるようにした水溜域内の浄水化装置を提供することを目的とする。
【課題を解決するための手段】
【０００６】  本考案は上記目的を達成するため、請求項１に記載の考案は、池や濠、湖沼などの水溜域の近接地に粗大なものから細小なものへと数段階に分かれた状態で微生物繁殖用のろ過材を配列して水溜域内のポンプからの水をこれらろ過材を通じて流通させ再び水溜域内に還流させてこれらの循環運動を繰り返すことで水溜域内の水を微生物の反応のもとで浄化させるようにした水溜域内の浄水化装置であって、前記ろ過材は粗大なものから細小なものへと複数段階のもので構成されるとともに、これらろ過材は、水の流される水溜域内へ向けて粗大なろ過材から細小なろ過材へと順次小さいろ過材へと段階的に変化するように平面的に列をなして連続配置されたろ過槽内に収容してなることを特徴とする。
請求項２に記載の考案は、請求項１に記載のものにおいて、各ろ過槽はその上流側から下流側へ向けて蛇行流を形成すべく蛇行流形成用区画壁を有する。
【考案の効果】
【０００７】  上述したように請求項１に記載の考案は、池や濠、湖沼などの水溜域の近接地に粗大なものから細小なものへと数段階に分かれた状態で微生物繁殖用のろ過材を配列して水溜域内のポンプからの水をこれらろ過材を通じて流通させ再び水溜域内に還流させてこれらの循環運動を繰り返すことで水溜域内の水を微生物の反応のもとで浄化させるようにした水溜域内の浄水化装置であって、前記ろ過材は粗大なものから細小なものへと複数段階のもので構成されるとともに、これらろ過材は、水の流される水溜域内へ向けて粗大なろ過材から細小なろ過材へと順次小さいろ過材へと段階的に変化するように平面的に列をなして連続配置されたろ過槽内に収容してなることを特徴とするので、複数種のろ過材を粗大なものから細小なものへと大きさを段階的に変えて平面的に連続して配列することにより長い経路で微生物に反応させることができて浄水化が効果的に得られるようにした水溜域内の浄水化装置を提供することができる。
【図面の簡単な説明】
【０００８】
【図１】  本考案の一実施形態を示す浄水化装置の平面図。
【図２】  図１の浄水化装置の横断平面図。
【図３】  図１のＩＩＩ−ＩＩＩ線断面図。
【図４】  他の実施形態を示す浄水化装置の平面図。
【図５】  散気手段についての他の実施形態を示す斜視図。
【図６】  散気手段についての他の実施形態を示す斜視図。
【考案を実施するための形態】
【０００９】  以下、本考案である水溜域内の浄水化装置の一実施形態を図１ないし図３に基づいて説明する。
図１ないし図３において１は水溜域である池の一部を示し、その池１内には水中ポンプ２が設置されて溜水１ａを汲み上げ可能になっている。水中ポンプ２は制御盤３を通じてタイマー制御されるようになっていて汲み上げた圧水は導水管４を通じて浄水化装置５の要部本体部分に導かれるようになっている。
【００１０】  浄水化装置５は、池１に臨む近接地に４個に区画された一体槽を備えたものとして構成され、その４個の槽は、同池１から離れた側が深く池１へ向けて次第に浅く段階状に形成した第１・第２・第３ろ過槽１１，１２，１３および最も池１側に浅く形成した沈澱水路槽１４とを有するものになっている。
尚、ａ、ｂ、ｃ、ｄは越流堰で、ａは第１ろ過槽１１から第２ろ過槽１２へ越える個所の堰、ｂは第２ろ過槽１２から第３ろ過槽１３へ越える個所の堰、ｃは第３ろ過槽１３から沈澱水路槽１４へ越える個所の堰、ｄは沈澱水路槽１４から池１へと越える個所の堰を示し、図３に示すように、ａからｄに至るに従って低く設定されている。
【００１１】  第１ろ過槽１１には前記水中ポンプ２からの導水管４の末端が複数分岐状に連通していて池１内の浄化されるべき水が槽底部へと導入されるようになっている。そして、第１ろ過槽１１・第２ろ過槽１２・第３ろ過槽１３の底部内空間には、ブロア１５と分配管１６とを通じて送られてきた散気用のエアーをそれぞれ複数経路を通じて送り込むための噴出口１７付きの散気パイプ１８が挿通配備されている。噴出口１７は散気パイプ１８の底面に備えて散気しやすくする。
【００１２】  こうした散気パイプ１８を備えた第１〜第３ろ過槽１１〜１３内には、池１から離れた遠くの第１ろ過槽に粗大な砕石型ろ過材２１が、第３ろ過槽１３には細小な砕石型ろ過材２３が、またそれらの中間に位置する第２ろ過槽１２には粗大と細小の中間の大きさの砕石型ろ過材２２が図３のように深→中間→浅く変化するように充填配備されている。
尚、ろ過材としては、石英粗面岩、安山岩、花崗岩などの砕石でその表面を微生物繁殖のために人工的に凹凸を加えて粗面にしたものが好ましい。
【００１３】  複数種のろ過材を粗大なもの２１…から細小なもの２３…へと大きさを段階的に変えて平面的に連続して配列することにより長い経路で微生物に反応させることができて浄水化が効果的に得られるようになる。浄水化装置５の上側には、落ち葉などを受け止めて浄化経路に入らないようにするための金網２５が張設されている。
【００１４】  図４は他の実施形態を示しており、この実施形態は、第１〜第３ろ過槽１１〜１３内のそれぞれに上流側から下流側へ向けてＳ字状蛇行流を形成すべく蛇行流形成用区画壁２８を設けてあり、これにより、長い時間微生物を接触反応して浄水化が効果的に得られるようになる。
【００１５】  図４の実施形態では、図１ないし図３の実施形態と同様にろ過槽１１，１２，１３の内部に横から散気パイプ１８を挿通固定して散気手段を構成していたが、図５の実施形態のように、例えば、図４の最も右側に示す蛇行流形成用区画壁２８それ自体を空間形成してそこに散気手段を構成してもよい。即ち、区画壁２８の下部を三角筒空間に形成してそこをエアー導入部２９となし、その内部に槽側方からのエアーを導入して噴出口３０…を通じて槽内に散気するようにしたものである。図５のエアー導入部２９の左上側（奥端側）はエアーが抜けないように閉止してある。
図５の右欄に示すものは区画壁２８を逆Ｖ字形の２枚構造のものにしてその内部をエアー導入部３１としたものである。図５の区画壁２８の手前には槽立面壁が設けられ外部の分配パイプ１８から分かれたパイプにエアー導入部２９が連通している。エアー導入部３１の図の左上側端部（奥端部）はエアーが抜けないように閉止してある。
図６は区画壁２８の下部に丸パイプを付してその部分を噴出口３０付きのエアー導入部３２としたものである。このエアー導入部３２は図６の右欄のように噴出口３０付きの逆溝形のものにしてもよい。図６の区画壁２８の手前には槽立面壁が設けられ外部の分配パイプからのパイプにエアー導入部３２が連通している。エアー導入部３２の図６の左上側端部は閉止している。
これら図５および図６の実施形態は、図４における全ての区画壁２８に対してあるいは適宜の区画壁２８に対して適用できる。
【符号の説明】
【００１６】  １…池（水溜域）  １ａ…溜水  ２…水中ポンプ  ３…制御盤  ４…導水管  ５…浄水化装置  １１，１２，１３…ろ過槽  １４…沈澱水路槽  １５…ブロア  １６…分配管  １７…噴出口  １８…散気パイプ  ２１，２２，２３…粗大から細小のろ過材。
【図１】
0003191344.tif 000003
【図２】
0003191344.tif 000004
【図３】
0003191344.tif 000005
【図４】
0003191344.tif 000006
【図５】
0003191344.tif 000007
【図６】
0003191344.tif 000008